(57)【特許請求の範囲】
【請求項１】
略截頭円錐面からなる一対の表布半体の底面の開口縁同志および頂面の開口縁同志を縫合して内部に弾性材を充填することにより円環状に形成すると共に、少なくとも一方の表布半体を形成する前記略截頭円錐面の最短母線長の部分および最長母線長の部分をほぼ対称位置に配置し、これらの少なくとも一方を周方向に所定長さ連続させたことを特徴とする環状クッション。
【請求項２】
少なくとも一方の前記略截頭円錐面は、前記最短母線長の部分および最長母線長の部分が共に所定長さ連続する請求項１の環状クッション。
【請求項３】
少なくとも一方の前記略截頭円錐面は、平坦な底面と、周方向のほぼ対称位置にあってこの底面と平行かつ高さが異なる２つの平面を含む頂面とを有する請求項１または２の環状クッション。
【請求項４】
略截頭楕円錐面からなる一対の表布半体の底面の長軸方向をほぼ一致させて底面の開口縁同志および頂面の開口縁同志を縫合し内部に弾性材を充填して楕円環状に形成すると共に、少なくとも一方の表布半体を形成する前記略截頭楕円錐面の最短母線長の部分および最長母線長の部分を前記長軸を挟んでほぼ対称に配置し、これらの少なくとも一方を前記長軸方向にほぼ沿わせて所定長さ連続させたことを特徴とする環状クッション。
【請求項５】
少なくとも一方の前記略截頭楕円錐面は、前記最短母線長の部分および最長母線長の部分が共に前記長軸方向にほぼ沿って所定長さ連続する請求項４の環状クッション。
【請求項６】
底面が長円形の略截頭長円錐面からなる一対の表布半体の底面の長軸方向をほぼ一致させて底面の開口縁同志および頂面の開口縁同志を縫合して内部に弾性材を充填することにより長円環状に形成すると共に、少なくとも一方の表布半体を形成する略截頭長円錐面の前記底面の長軸に平行な２辺上の母線長を最長および最短としたことを特徴とする環状クッション。
【請求項７】
請求項１〜６のいずれかの環状クッションにおいて、中央付近の開口に嵌め込まれる補助クッションを有する環状クッション。
【請求項８】
請求項１または２または３のいずれかの環状クッションに用いられるクッションカバーであって、底面の開口縁の周長が環状クッションの外周長にほぼ等しい円錐面で形成されていることを特徴とするクッションカバー。
【請求項９】
請求項４または５の環状クッションに用いられるクッションカバーであって、底面の開口形状および開口縁長がそれぞれ環状クッションの外周形状および外周長にほぼ等しい楕円錐面で形成されていることを特徴とするクッションカバー。
【請求項１０】
請求項６の環状クッションに用いられるクッションカバーであって、底面の開口形状および開口縁長がそれぞれ環状クッションの外周形状および外周長にほぼ等しい長円錐面で形成されていることを特徴とするクッションカバー。
【発明の詳細な説明】
【０００１】
【発明の属する技術分野】
この発明は、環状に形成され枕や座布団やソファとして使用するためのクッションと、このクッションに用いるクッションカバーとに関するものである。
【０００２】
【従来の技術】
従来より角型、丸型で中にクッション材を入れたクッションが枕や座布団やソファとして広く用いられている。このような形状の枕は就寝者の頭部背面全体が枕の上面に密着することになる。
【０００３】
このため特に夏期などに汗をかくと、汗の発散が悪く頭髪を傷めるという問題がある。また乳幼児を寝かせる場合に、仰向きにすると頭部背面が平らな枕に当たって扁平化し、頭の形状が悪くなるともいわれている。またこのような形状の座布団あるいはソファを床に置いて足をのばしたりあぐらをかいて着座する場合には、着座者は強い前屈姿勢をとるために腰に大きな負担がかかり、長時間の着座時に大きな苦痛を伴う。さらにこの座布団は通常中央付近が高くなっているため、着座時に腰の安定性が悪いという問題もあった。
【０００４】
そこで枕や座布団あるいはソファを環状にすることが考えられる。例えば同一出願人が提案した環状のクッションを枕として使用することが考えられる（実願平９−２７２９号）。この環状のクッションを枕に用いた場合には、環状の部分の中に空間が形成されるため、通気性が良好になって頭部が汗で蒸れることがなくなる。また中央の空間部分が陥没しているので、乳幼児の頭の形状が悪くなることもなくなる。一方この環状のクッションを座布団あるいはソファとして使用する場合には、中央付近に開口部分があるため、この開口部分に腰を落し込んで腰を安定させることができる。
【０００５】
【従来の技術の問題点】
しかしこの既提案のクッションは環状部分の直径が一定のもの、あるいは対称位置の直径が最大および最小となるように連続的に変化したものであった。このためこれを枕に用いた場合には、頭部の安定性が悪くなったり頭を左右に回しにくいという問題があった。
【０００６】
すなわち環状部分の直径が全周に亘って一定のものでは、頭部背面の首筋側が当たる高さと頭頂側が当たる高さとが同一になるため、頭の座りが悪く使用感が悪い。また環状部分の直径が連続的変化するものでは、最小径の部分で頭を左右に回しにくく最大径の部分で頭が不安定になる。このため同様に頭の座りが悪く使用感が悪くなるものであった。
【０００７】
同様にこの環状のクッションを座布団やソファに用いる場合には、中央付近の開口部分の中に腰が深く入り込んで前屈姿勢が一層強くなる。このため長時間の着座に伴う苦痛を和らげることが困難であった。また環状部分の直径を連続的に変化させた環状クッションでは、最大径の部分に腰の背中側あるいは腰椎付近が当たるようにして使用することになるが、この場合には最大径の部分の両側が低くなるために腰の背中側あるいは腰椎付近の支持が不安定になる。さらに最小径の部分には大腿部側が載ることになるが、この最小径の部分の両側が次第に高くなるために大腿部の安定性が悪くなる。
【０００８】
【発明の目的】
本発明はこのような事情に鑑みなされたものであり、枕として用いる場合には頭の安定性が良く、左右へ頭を回す動作もし易くなり使用感に優れ、座布団やソファとして用いる場合には、前屈姿勢を緩和して着座に伴う苦痛を和らげ、腰を安定して支持することができる環状クッションを提供することを第１の目的とする。またこの環状クッションに適用するクッションカバーを提供することを第２の目的とする。
【０００９】
【発明の構成】
本発明によればこの第１の目的は、略截頭円錐面からなる一対の表布半体の底面の開口縁同志および頂面の開口縁同志を縫合して内部に弾性材を充填することにより円環状に形成すると共に、少なくとも一方の表布半体を形成する前記略截頭円錐面の最短母線長の部分および最長母線長の部分をほぼ対称位置に配置し、これらの少なくとも一方を周方向に所定長さ連続させたことを特徴とする環状クッション、により達成される。
【００１０】
ここに一対の表布半体は同一または対称に形成しておいてもよいし、一方の表布半体を母線長が一定な截頭円錐面で形成してもよい。最短母線長の部分と最長母線長の部分とをほぼ対称位置にそれぞれ所定長さ連続させて設ければ、枕として用いた場合には首筋側と頭頂側で頭が当たる部分が共に平坦になり、また座布団やソファとして用いた場合には、腰の背中側および大腿部が当たる部分が共に平坦になるから、一層好ましい。
【００１１】
このようなクッションは、略截頭円錐面の底面を平坦にし、頂面が周方向のほぼ対称位置でこの底面に平行かつ高さが異なる２つの平面を含むように形成することにより作ることができる。
【００１２】
表布半体を略截頭円錐面で形成するのに代えて略截頭楕円錐面を用いたり、略截頭長円錐面を用いてもよい。この場合には楕円錐面または長円錐面の底面の長軸にほぼ沿って連続する母線長を最長または最短にすることができる。
【００１３】
これらの環状クッションにおいて、中央付近の開口部分に補助クッションを嵌め込むことができる。この場合には開口部分に頭が深く入り込んで寝る時の首の屈曲が強くなりすぎたり、腰が入り込んで腰の前屈姿勢が強くなって苦痛が増大するのを防止できる。
【００１４】
第２の目的は、表布半体を截頭円錐面で形成した円環状の環状クッションに用いられるクッションカバーであって、底面の開口縁の周長が環状クッションの外周長にほぼ等しい円錐面で形成されていることを特徴とするクッションカバー、により達成できる。
【００１５】
ここにクッションカバーの形状は、表布半体の形状に対応して変更するのは勿論である。例えば表布半体を略截頭楕円錐面で形成する時は楕円錐面に、略截頭長円錐面で形成する時は長円錐面にする。ここにクッションカバーの開口縁に沿ってゴム紐を通したり紐を通しておけば、この開口縁を環状クッションの外周縁に被せてから絞ることにより、カバーがクッションから脱落するのを防止することができる。
【００１６】
【作用】
円環状、楕円環状または長円環状のクッションは、母線長が最小・最大の部分に対応する部分で太さが最小・最大になり、これら太さが最小・最大の部分が所定長さ連続する。このため頭や腰が安定する。
【００１７】
枕に用いる場合は頭を左右に回す動作もし易くなる。ここに頭の首筋側が太さ最小の部分に当たり、頭の頂部側が太さ最大の部分に当たるから、頭を安定に支持することができる。座布団やソファに用いる場合は大腿部を最小径の部分に当て、腰を最大径の部分で支えるから腰の前屈姿勢を弱めて楽な姿勢をとることが可能になり、姿勢が安定する。中央の開口部分に盤状の補助クッションを嵌め込めば、頭や腰がこの開口部内に深く落ち込むことがなくなり、首や腰の屈曲が過大になるのを防ぐことができる。
【００１８】
クッションカバーはその開口縁を環状クッションの外周縁に被せて用いる。クッションカバーは環状クッションの形状の対応して円錐面、楕円錐面、長円錐面、角錐面などに作られるから、環状クッションの特に外周面に皺を発生することなく良好に密着する一方、その頂点側を環状クッションの開口部分に収納することができる。
【００１９】
【実施態様】
図１はこの発明の一実施態様の斜視図、図２は同じく平面図、図３は同じく正面図、図４は右側面図、図５は表布半体の形状を示す斜視図、図６はその縫合方法の説明図、図７は枕としての使用状態を示す図である。また図８は表布半体の展開図、図９はその直線Ｌの長さを求める方法の説明図である。
【００２０】
このクッション１０は、外径（直径）が２Ｒ、内径（直径）が２ｒであり、環状部分の直径が最大の部分Ｍ（図１，２）でΦM、最小の部分ｍでΦmの円形であるものとする。この場合には表布半体１２は図８のように截断される。
【００２１】
この図８で表布半体１２の外周の径（半径）をＲ0、切欠き部分１４の角度をθ0とする。環状部分の最小直径（Φm）の部分ｍに対応する内周径（半径）をＲ1、その角度をθ1とする。最大直径（ΦM）の部分Ｍに対応する内周径（半径）をＲ2，その角度をθ2とする。
【００２２】
この表布半体１２を、その切欠き部分１４を縫合すれば図５の（Ａ）に示す略截頭円錐体１６となる。この場合に、この円錐体１６の底面は円形で、その外周長が図２に示した枕１０の外周長に等しいことと、円錐体１６の頂面の外周長が第２の枕１０の内周長に等しいことから、次の式を求める。
【００２３】
２πＲ＝２πＲ0×（３６０−θ0）／３６０
２πｒ＝２πＲ1×θ1／３６０＋２πＲ2×θ2／３６０＋２Ｌ
Ｒ0−Ｒ2＝πΦM／２
Ｒ0−Ｒ1＝πΦm／２
【００２４】
ここにＬは最大径部Ｍと最小径部ｍとの間を連続的につなぐ部分、すなわち図１，２でＮの部分に対応し、図８の展開図上で直線で表す場合には次のように求めることができる。すなわち図９に示す三角形ＡＢＣにおいて、三角形の余弦公式を用いれば、次式で求めることができる。
【００２５】
Ｌ2＝Ｒ12＋Ｒ22−２Ｒ1・Ｒ2・COS（θ3／２）
【００２６】
一方θ0、θ1、θ2、θ3に対してはθ0＋θ1＋θ2＋θ3＝３６０°が成立すると共に、最大・最小直径部分Ｍ、ｍとその間の部分Ｎの長さの比に基づいてθ1、θ2、θ3の比率が求められる。従って前記５つの式と、これらθ0、θ1、θ2、θ3に関する条件式とからなる連立方程式を解くことによって、Ｒ0、Ｒ1、Ｒ2、θ0、θ1、θ2、θ3を求めることができる。この結果を用いて図８に示す表布半体１２を２枚截断する。
【００２７】
表布半体１２は切欠き１４を縫合することにより、図５の（Ａ）に示すような截頭円錐体１６すなわち底面と頂面が開いた円錐体１６を作ることができる。この円錐体１６の頂面は、図６の（Ａ）に示すように、底面からの高さが異なり対称位置にある２つの平面ｘ、ｙを傾斜面Ｚでつないだ形状となっている。
【００２８】
２枚の表布半体１２はその底面と頂面との中間で折り返される。すなわち底面および頂面の周縁を通りその延長線が円錐の頂点ｏを通る母線ｐの中間で折り返され、図５の（Ｂ）に示すようにする。この結果２枚の表布半体１２は環状山形あるいは環状溝形となり、両表布半体１２，１２の外周縁同志が縫合される。同様に内周縁同志が一部を残して縫合される。なおこの時両表布半体１２，１２は、最大・最小径部Ｍ、ｍに対応する部分、すなわち最長母線長の部分同志と、最短母線長の部分同志が対向するように位置合せされる。
【００２９】
この縫合体はその内周縁の未縫合部分（開口部）から裏返された後、図６の（Ｂ）に示すように内部に綿やウレタンフォームなどの弾性材１８が充填される。そして内周縁の未縫合部分を縫合すればよい。このように各表布半体１２，１２は、環状山形あるいは環状溝形にして縫合されるから、弾性材１８を充填して環状部分を略円形とした時に（図６の（Ｂ）参照）、縫合部分を無理に押し開く方向の力が作用せず、内周縁および外周縁に皺が発生しなくなる。この結果完成品１０の周縁の仕上がりが良好で、美しく滑らかになる。
【００３０】
またこのクッション１０を枕として用いた時には、図７に示すように就寝者の頭は、首筋側が最小径部ｍ（最短母線長の部分に対応する）に截り頭頂側が最大径部Ｍ（最長母線長の部分に対応する）に載る。ここに最小・最大径部ｍ、Ｍは周方向に所定長さ連続しているから、頭が安定して支持される。また頭を左右へ回し易くなる。
【００３１】
座布団やソファとして用いる時には、最小径部ｍを前にし、最大径部Ｍを後にして着座する。大腿部が乗る最小径部ｍと腰の後側を支える最大径部Ｍがそれぞれ所定長さ連続するから、前屈姿勢を弱めて楽な姿勢で安定して着座できる。さらにこのクッション１０は中央付近に円形の開口２０を有するから、この開口２０を介して汗の発散を促進させることができ、使用感が良い。なおこの開口２０を利用して物干杆に掛けて乾したり、この開口２０をフックに掛けて収納することができ、便利である。
【００３２】
【他の実施態様】
図１０は他の実施態様の表布半体１２Ａを示す図、図１１はそのＡ矢視断面図とＢ矢視断面図である。この実施態様は、表布半体１２Ａを楕円錐面で形成したものである。
【００３３】
すなわちこの表布半体１２Ａは楕円の底面を持ち、この底面の長軸ＡＸを挟んで対称位置が最小径部ｍと最大径部Ｍに対応する。ここに表布半体１２Ａの最小・最大径部ｍ、Ｍに対応する部分はそれぞれ周方向の所定長さの範囲で同一母線長となっている。
【００３４】
このため同一形状の２枚の表布半体１２Ａを最小・最大径部ｍ、Ｍ同志が対向するように重ねて縫合すれば、底面の楕円の長軸ＡＸ方向に沿って長い最小・最大径部ｍ、Ｍが形成できる。この実施態様によれば、完成した枕は楕円環状になり、最小・最大径部ｍ、Ｍを図１〜９に示した前記円環状のクッションに比べて長軸ＡＸ方向に長くできる。このため枕に用いれば頭の安定性が一層良くなり、頭を左右へ一層回し易くなる。また座布団やソファに用いれば、腰の前屈姿勢を弱めて楽な姿勢がとれ、腰を一層安定して保持できる。
【００３５】
【他の実施態様】
図１２はさらに他の実施態様を示す斜視図、図１３は表布半体１２Ｂを示す斜視図である。このクッション１０Ｂは、長円環状に形成したものである。
【００３６】
ここに表布半体１２Ｂは、長円形の底面を持つ。この底面は長さｑの長方形の両側に半円を連続させた形状であり、横向きに倒した長さｑの三角柱の両側に、２分割した円錐をつないだ形状の略長円錐面となっている。なお正しい長円錐形を１つの頂点を持つが、ここでは便宜上２つの頂点を持つものである。
【００３７】
この略長円錐面の頂面は長軸ＡＸ方向から見て傾斜した１つの平面となっている。このためこれら底面と頂面で切った長円錐面からなる表布半体１２Ｂを折り返せば、長軸ＡＸを挟んで一側に長さｑの高い山の折り目が、他側に長さｑの低い山の折り目ができる。
【００３８】
２枚の表布半体１２Ｂを、高い山側同志と低い山側同志とをそれぞれ重ねて縫合することによって図１２に示すようなクッション１０Ｂができる。すなわち長軸ＡＸと平行で長さがｐの最小径部ｍと最大径部Ｍとを有する枕１０Ｂとなる。このクッション１０Ｂを枕として用いれば、最小・最大径部ｍ、Ｍは弧状でなく直線状になるから、頭の安定性は一層良好となり、頭を左右へ一層回し易くなる。また座布団やソファとして用いれば、腰の前屈姿勢を小さくして楽な姿勢で着座でき、腰を一層安定して保持できる。
【００４１】
【他の実施態様】
図１４は他の実施態様を示す図であり、環状クッション１０Ｄの開口２０内に別の補助クッション３０を着脱可能に嵌め込んだものである。この補助クッション３０は盤状であり、その上面は開口２０に嵌め込んだ時に環状クッション１０Ｄの最小径部ｍよりも低くなる。
【００４２】
ここに用いる環状クッション１０Ｄとしては、図１〜９で説明した円環状のクッション１０，図１０，１１で説明した楕円環状のクッション、図１２，１３で説明した長円環状のクッション１０Ｂを用いることができる。補助クッション３０の外径は使用する環状クッションの開口２０形状に適合させて決めればよい。
【００４３】
この補助クッション３０を用いることにより、開口２６内への頭や腰の過大や落ち込みを規制することができる。例えば枕として用いる場合には、開口２０を大きくして最小径部ｍで使用者の首の後ろ（うなじ、えりくび）を支持しながら、後頭部をこの補助クッションで支えるようにして使用することができる。このため環状クッション１０Ｄの直径を大きくでき、一層ゆったりとリラックスした感じでの就寝が可能になる。また径の大きいクッション１０であれば、クッション１０Ｄを回して好みの高さの位置を選んで用いることができ、便利である。
【００４４】
【他の実施態様】
図１５は環状クッション１０Ｅに好適なクッションカバー４０を示す図である。このクッションカバー４０は、環状クッション１０Ｅが断面略円形でかつ開口２０を有するという特定の性質を専ら利用して、円錐面などで形成したものである。
【００４５】
すなわち環状クッション１０Ｅとして前記図１〜９に説明した円環状のクッション１０を用いる場合には、図１７（Ａ）に示すように円錐面で形成する。また図１０，１１に説明した楕円環状のクッションを用いる場合には楕円錐面を用いる。同様に図１２，１３で説明した長円環状のクッション１０Ｂなら長円錐面を用いる。ここにクッションカバー４０の開口形状および開口縁長は、それぞれ環状クッションの外周形状および外周長にほぼ等しい。
【００４６】
このクッションカバー４０は、その開口縁を環状クッション１０Ｅの外周縁に被せ、頂点を開口２０内に落し込むことにより使用される。この時クッションカバー４０は円錐面などで作られるから、クッション１０Ｅの外周縁の丸味に沿った形状になってクッション１０Ｅに被せられる。またクッション１０Ｅの開口２０内にはクッションカバー４０の頂部側が寄せ集められて入るが、この部分に皺が寄っても使用上全く不都合はない。ここにクッションカバー４０の開口縁に沿ってゴム紐や紐を通し、開口縁をクッション１０Ｅに被せてから絞ることにより、クッションカバー４０をクッション１０Ｅの外周縁にしっかりと保持できる。
【００４７】
以上の各実施態様では、一対の表布半体１２、１２Ａ、１２Ｂを同一形状としたものであるから、環状部分の断面形状を円形に近付けることが容易になる。しかし本発明は一方の表布半体を平面状にしたり、截頭円錐面などとしても良い。また最小径部ｍと最大径部Ｍとの両方を所定長さ連続させているが、これらの一方のみを所定長さ連続させるものであってもよい。
【００４８】
【発明の効果】
請求項１の発明は以上のように、略截頭円錐面からなる一対の表布半体の底面の開口縁同志および頂面の開口縁同志を縫合し内部に弾性材を充填して円環状とする一方、少くとも一方の表布半体の略截頭円錐面の最短母線長の部分および最長母線長の部分をほぼ対称に位置させ、これらの少くとも一方の部分を周方向に所定長さ連続させたものであるから、環状部分の最小または最大径部が所定長さ連続することになる。
【００４９】
このためこのクッションを使用する際に最小または最大径部が水平になり、枕として用いた場合にここに頭を載せて頭を安定させることができる。また頭を左右に回し易くなり、使用感が向上する。さらにこの枕は開口を有するから頭部にかく汗を効率良く発散させることができるばかりでなく、この開口を利用して物干杆やフックに掛けることにより、乾したり収納することができて便利である。
【００５０】
またこのクッションを座布団やソファとして用いた場合には、所定長さ連続する最小径部または最大径部に大腿部あるいは腰の背面を支持して着座でき、前と後で高さが異なることを利用して適度な前屈姿勢をとることが可能になり、長時間の着座も苦痛にならなくなる。ここに最小・最大径部が所定長さ連続するから、着座姿勢に左右方向の規制が加わらず、楽に着座できることになる。
【００５１】
少くとも一方の略截頭円錐面は、最短母線長の部分および最長母線長の部分を共に所定長さ連続させることができ、この場合は一層頭の安定性が向上し、使用感が向上する（請求項２）。このようなクッションは、略截頭円錐面の底面を平坦にし、頂面が周方向のほぼ対称位置でこの底面に平行かつ高さが異なる２つの平面を含むように形成することにより作ることができる（請求項３）。
【００５２】
表布半体は略截頭円錐面に代えて、略截頭楕円錐面を用いたり、略截頭長円錐面を用いることもできる（請求項４，６）。これらの場合に、最小・最大径部を長くすることができ、左右に長い大型の枕を作る場合に都合がよい。この場合最短母線長の部分と最長母線長の部分とを共に底面の長軸方向にほぼ沿わせて所定長さ連続させるのがよい（請求項５）。
【００５３】
前記した種々の形状の環状クッションには、開口に補助クッションを着脱可能に嵌め込んでおくことができる（請求項７）。この補助クッションを用いることにより、頭の後ろや腰が開口内に深く落ち込むのを防ぎ使用感を一層向上させることができる。
【００５４】
請求項８の発明によれば、円環状のクッションに好適なクッションカバーが得られる。同様に請求項９，１０の発明によれば、楕円環状、長円環状のクッションにそれぞれ好適なクッションカバーが得られる。
【図面の簡単な説明】
【図１】  この発明の一実施態様の斜視図
【図２】  同じく平面図
【図３】  同じく正面図
【図４】  右側面図
【図５】  表布半体の形状を示す斜視図
【図６】  その縫合方法の説明図
【図７】  枕の使用状態を示す図
【図８】  表布半体の展開図
【図９】  その直線Ｌの長さを求める方法の説明図
【図１０】  他の実施態様の表布半体を示す図
【図１１】  図１０におけるＡ矢視およびＢ矢視の断面図
【図１２】  他の実施態様を示す斜視図
【図１３】  同じく表布半体を示す斜視図
【図１４】  他の実施態様を示す図
【図１５】  クッションカバーを示す図
【符号の説明】
１０、１０Ｂ、１０Ｄ、１０Ｅ  クッション
１２、１２Ａ、１２Ｂ  表布半体
１４  切欠き部
１６  截頭円錐体
１８  弾性材
２０  開口
３０  補助クッション
４０  クッションカバー
Ｍ  最大径部
ｍ  最小径部
ＡＸ  長軸
ｏ  頂点
ｐ  母線
【図１】
0004116701.tif 000002
【図２】
0004116701.tif 000003
【図３】
0004116701.tif 000004
【図４】
0004116701.tif 000005
【図５】
0004116701.tif 000006
【図６】
0004116701.tif 000007
【図７】
0004116701.tif 000008
【図８】
0004116701.tif 000009
【図９】
0004116701.tif 000010
【図１０】
0004116701.tif 000011
【図１１】
0004116701.tif 000012
【図１２】
0004116701.tif 000013
【図１３】
0004116701.tif 000014
【図１４】
0004116701.tif 000015
【図１５】
0004116701.tif 000016